(57)【特許請求の範囲】
【請求項１】
横断面において多角形の中空プロフィル支持体（１０，４０，４１，４２，６０）が設けられており、これらの中空プロフィル支持体が、その少なくとも１つの外側（１４，１５，１６，１７）において縁に沿って、別のプロフィル支持体（１０，４０，４１，４２，６０）又は別の部分（７０）を接続する迅速結合要素（４３，４４，６３）を係止するために自身の間に縁アンダカットを有する溝（２２）含む橋絡片（１８，１９，２０，２１）を備え、かつ角範囲において内部に、内側角溝（２３）を備え、したがってこれらの間に含まれた中空プロフィル支持体側（１４，１５，１６，１７）の変形を受けて、橋絡片（１８，１９，２０，２１）の広がりが可能である、とくに見本市及び展示構造のためのプロフィル支持体において、中空プロフィル支持体（１０，４０，４１，４２，６０）の互いに隣接する外側（１４，１６，１７）に、橋絡片が配置されており、その際、両方の橋絡片（１８，１９，２０，２１）が、中空プロフィル支持体（１０，４０，４１，４２，６０）の互いに隣接する外側（１４，１６，１７）の間の縁に、自身の間に外側角溝（２４）を含むことを特徴とする、とくに見本市及び展示構造のためのプロフィル支持体。
【請求項２】
外側角溝（２４）が、取付け要素を収容するために縁アンダカットを有することを特徴とする、請求項１に記載のプロフィル支持体システム。
【請求項３】
内側及び外側角溝（２３，２４）が、外側角溝（２４）を区画する両方の橋絡片（２０，２１）の広がり運動のために自身の間に回転軸線（Ｄ１）を含むように配置されていることを特徴とする、請求項１又は２に記載のプロフィル支持体システム。
【請求項４】
中空プロフィル支持体外側における溝（２２）の縁アンダカット、及び外側角溝（２４）の縁アンダカットが、自身の間に、縁アンダカットを形成する橋絡片（２０，２１）の範囲（２０．１，２１．１）の揺動運動のために回転軸線（Ｄ２，Ｄ３）を含んでいることを特徴とする、請求項２又は３に記載のプロフィル支持体システム。
【請求項５】
回転軸線（Ｄ１，Ｄ２，Ｄ３）を含む又は自身の間に含む橋絡片（２０，２１）が、少なくとも部分的に軽く溝内側の方向に傾斜して配置されていることを特徴とする、請求項３又は４に記載のプロフィル支持体システム。
【請求項６】
橋絡片（１８，１９，２０，２１）の端面の突合わせ又は引っ張り負荷が、直線的に中空プロフィル支持体（１０）の対向する側（１４，１５，１６，１７）に伝達され、かつ中空プロフィル支持体（１０）の横断面の圧縮又は伸長が行なわれないように、内側及び外側の角溝（２３、２４）が配置されていることを特徴とする、請求項１ないし５の１つに記載のプロフィル支持体システム。
【請求項７】
中空プロフィル支持体側（１４，１５，１６，１７）において溝（２２，２５，２９，６１）のアンダカットを区画する橋絡片（２０．１，２１．１）の区間に、橋絡片（１８，１９，２０，２１）により形成される溝（２２，２５，２９，６１）内に係止可能な溝ブロック（６３）と共同作用するばね要素（６４）の縁を収容する小さな追加溝（６７）が配置されていることを特徴とする、請求項１ないし６の１つに記載のプロフィル支持体システム。
【請求項８】
プロフィル支持体（１０，４０，４１，４２，６０）が、複数の空間（１１，１２，１３）に分割されていることを特徴とする、請求項１ないし７の１つに記載のプロフィル支持体システム。
【請求項９】
空間（１１，１２，１３）が少なくともほぼ正方形の横断面を有することを特徴とする、請求項８に記載のプロフィル支持体システム。
【請求項１０】
空間分離壁（２６，２７）がプロフィル外側壁（１６，１７）に突き当たる位置において、プロフィル支持体（１０，４０，４１，４２，６０）が、外方に突出した中間橋絡片（２８）を有し、これらの中間橋絡片が、自身の間にかつ／又はプロフィル支持体（１０，４０，４１，４２，６０）の外側縁範囲に配置された橋絡片（１８，２１）との間に、縁アンダカットを有する溝（２５，２９）を含むことを特徴とする、請求項８又は９に記載のプロフィル支持体システム。
【請求項１１】
中間橋絡片（２８）が、剛体的に配置されており、かつ中間橋絡片（２８）と外側橋絡片（１８，２１）との間に含まれた溝（２５）が、その中心軸線（３０）に関して非対称であることを特徴とする、請求項１０に記載のプロフィル支持体システム。
【請求項１２】
溝開口（Ｘ１，Ｘ２）が、溝（２５）の中心軸線（３０）に関して非対称に配置されていることを特徴とする、請求項１１に記載のプロフィル支持体システム。
【請求項１３】
中間橋絡片を持たない単空間中空プロフィル支持体の側部溝（２２）内にも係止可能な同じ迅速結合要素（４３、４４、６３）が、溝（２５，２９）内に係止可能であることを特徴とする、請求項１０ないし１２の１つに記載のプロフィル支持体システム。
【請求項１４】
迅速結合要素（４３，４４，６３）が、Ｕ形に曲げられた板ばね（４８）を有し、この板ばねの脚が、ロックフック（４９）になるように形成されており、これらのロックフックが、アンダカットを備えた溝（２２，２５，２９，４７，６１）内に噛み合い、かつキー（５１）によって操作可能な回転部材（５０）によって脚を広げることにより、溝（２２，２５，２９，４７，６１）内に締付け可能であることを特徴とする、請求項１ないし１３の１つに記載のプロフィル支持体システム。
【請求項１５】
迅速結合要素（４３，４４）に、回転部材（５０）の閉鎖位置を制限するためのストッパが配置されていないことを特徴とする、請求項１４に記載のプロフィル支持体システム。
【請求項１６】
回転部材（５０）が、なるべく長方形の横断面を有する簡単な差込みキー（５１）によって操作可能であることを特徴とする、請求項１４又は１５に記載のプロフィル支持体システム。
【発明の詳細な説明】
【０００１】
【発明の属する技術分野】
本発明は、横断面において多角形の中空プロフィル支持体が設けられており、これらの中空プロフィル支持体が、その少なくとも１つの外側において縁に沿って、別のプロフィル支持体又は別の部分を接続する迅速結合要素を係止するために自身の間に縁アンダカットを有する溝含む橋絡片を備え、かつ角範囲において内部に、内側角溝を備え、したがってこれらの間に含まれた中空プロフィル支持体側の変形を受けて、橋絡片の広がりが可能である、とくに見本市及び展示構造のためのプロフィル支持体に関する。
【０００２】
【従来の技術】
これらの特性を有するプロフィル支持体は、ドイツ連邦共和国特許第３８４３９１１号明細書にすでに示されている。ただし公知のプロフィル支持体には、迅速結合要素を差込む際に溝を区画する橋絡片を広げた際に、角を介してこれに続くプロフィル側部も強力に一緒に負荷を受けるという欠点が存在する。
【０００３】
【発明が解決しようとする課題】
本発明の課題は、公知のプロフィル支持体を前提として、プロフィル側部の完全な強力な連結解除が生じるプロフィル支持体システムを提供することにある。
【０００４】
【課題を解決するための手段】
本発明によれば、この課題は、初めに挙げたようなプロフィル支持体システムによって次のようにして解決される。すなわち中空プロフィル支持体の互いに隣接する外側に、橋絡片が配置されており、その際、両方の橋絡片が、中空プロフィル支持体の互いに隣接する外側の間の縁に、自身の間に外側角溝を含む。プロフィル外側において公知のプロフィルに存在する直角の角の代わりに、今度は隣接するプロフィル側の橋絡片の間に溝が存在し、この溝は、１つの橋絡片の絶縁した広がりを可能にし、それによりそれに続くプロフィル側への力伝達を引起こさない。
【０００５】
外側の角溝において、同様に取付け要素を収容する縁アンダカットを設けることができるので、外側角溝を構成部分の取付けのためにも使うことができる。
【０００６】
有利な構成において、内側及び外側の角溝は次のように配置されている。すなわちこれらの内側及び外側角溝が、外側角溝を区画する両方の橋絡片の広がり運動のために自身の間に回転軸線を含む。この時、両方の溝の間に、プロフィルの比較的薄壁の位置が設けられており、この位置は、両方の橋絡片のために回転軸線を形成する。さらに中空プロフィル支持体外側における溝の縁アンダカット、及び外側角溝の縁アンダカットは、自身の間に、縁アンダカットを形成する橋絡片の範囲の揺動運動のために回転軸線を含むように配置することができる。それにより橋絡片をその全長において広げるだけでなく、その外側範囲だけにおいて広げることも可能である。この処置も、橋絡片を広げる際に、プロフィル側からそれに続くプロフィル側への力の伝達を防止することに貢献する。これに関連してさらに回転軸線を含む又は自身の間に含む橋絡片が、少なくとも部分的に軽く溝内側の方向に傾斜して配置されていると、とくに有利である。これらの橋絡片が、迅速結合要素の挿入の際に広げられると、このことは、橋絡片の外方に傾斜した位置を引起こすのではなく、プロフィル外側に対して垂直な整列を引起こす。それにより橋絡片は、端面に作用する力を、広がりによる外方への位置の際よりも良好に吸収することができる。そのために橋絡片の端面の突合わせ又は引っ張り負荷が、直線的に中空プロフィル支持体の対向する側に伝達され、かつ中空プロフィル支持体の横断面の圧縮又は伸長が行なわれないように、内側及び外側の角溝が配置されかつ形成されている場合、橋絡片端面によってきわめて大きな力を吸収することができ、その際、プロフィル支持体システムの安定性を害することはない。
【０００７】
溝内に溝ブロックを締付けようとする場合、さらに中空プロフィル支持体側において溝のアンダカットを区画する橋絡片の区間に、橋絡片により形成される溝内に係止可能な溝ブロックと共同作用するばね要素の縁を収容する小さな追加溝が配置されていることができる。
【０００８】
プロフィル支持体は、任意の多角形の横断面を有することができる。さらにプロフィル支持体を、内部において複数の空間に分割することが可能である。それにより相応して一層高い安定性を有する一層大きなプロフィル横断面を製造することもできる。その際、この時、とくに対称的な力状態が生じるので、正方形の横断面を有する空間を設けることは、とくに有利である。
【０００９】
空間分離壁がプロフィル外側壁に突き当たる位置において、プロフィル支持体が、外方に突出した中間橋絡片を有し、これらの中間橋絡片が、自身の間にかつ／又はプロフィル支持体の外側縁範囲に配置された橋絡片との間に、縁アンダカットを有する溝を含むと、それ以上の利点が得られる。したがってこの構成において、プロフィル支持体は、その外側に複数の平行な溝を有し、これらの溝内にそれぞれ迅速結合要素を取付けることができる。その際、中間橋絡片は、剛体的に配置することができ、かつ中間橋絡片と外側橋絡片との間に含まれた溝は、その中心軸線に関して非対称であることができる。この時、迅速結合要素をこのような溝内に挿入すると、外側橋絡片だけが外方に広がるが、一方内側橋絡片は動かず、又は変形されない。その際、とくに溝開口も溝の中心軸線に関して非対称であることができる非対称の配置によって、溝内への結合要素の挿入が容易になる。
【００１０】
さらに中間橋絡片を持たない単空間中空プロフィル支持体の側部溝内にも係止可能な同じ迅速結合要素が、これらの溝内に係止可能であるように、全体的に溝が形成されていることによって、重要な利点が達成できる。この時、プロフィル支持体システム全体は、此処のプロフィル支持体の横断面に関係なく、統一的なセットの結合要素で十分である。
【００１１】
有利に使用可能な迅速結合要素は、Ｕ形に曲げられた強力ばねを有することができ、この強力ばねの脚は、ロックフックになるように形成されており、これらのロックフックは、アンダカットを備えた溝内に噛み合い、かつキーによって操作可能な回転部材によって脚を広げることにより、溝内に締付け可能である。これらの迅速結合要素は、明らかに迅速に挿入可能でありかつ取付け可能である。さらにその際、迅速結合要素に、回転部材の閉鎖位置を制限するためのストッパが配置されていない場合、あまりに強力に引付けることによってキーを破壊することを防止できる。さらに回転部材は、なるべく長方形の横断面を有する簡単な差込みキーによって操作可能であるように、形成することもできる。このようなキーの挿入は、例えば１つの六角キーよりも簡単である。さらにこのような差込みキーにおいて、きわめて頻繁な利用及び大きな閉鎖力の消費の際にも、縁は削り落とされることはなく、このことは、六角キーにおいてあちこちで観察され得るものである。
【００１２】
【発明の実施の形態】
次に図面により本発明によるプロフィル支持体システムの有利な実施例を詳細に説明する。
【００１３】
図１に示された中空プロフィル支持体１０は、細長い長方形の形を有し、かつ３つの正方形の空間１１、１２及び１３に細分化されている。狭い側１４、１５及び長い側１６、１７の角範囲に、弾性的な橋絡片１８、１９、２０、２１が配置されている。その際、縁橋絡片１９及び２０は、自身の間に迅速結合要素を収容するために、アンダカットを備えた溝２２を含む側壁１６と１４、１４と１７、１７と１５、及び１５と１６の間に置ける角において、それぞれ内側角溝２３が配置されている。角の外側に、外側角溝２４が設けられている。その際、内側及び外側の角溝２３及び２４は、それぞれ自身の間に橋絡片２０及び２１の広がり運動のための回転軸線Ｄ１を含むように配置されている。溝２２の及び隣接する長手側における同様に縁アンダカットを有する溝２５の縁アンダカットによって、橋絡片２０及び２１も、自身において回転軸線Ｄ２及びＤ３を有し、迅速結合要素を溝２２又は２５内に締付けるとき、これらの回転軸線の回りにおいて外側橋絡片範囲２０．１及び２１．１が揺動可能である。溝２３及び２４は、橋絡片２０及び２１のための回転軸線Ｄ１の形成によって、これらの橋絡片２０、２１を広げる際に、中空プロフィル支持体１０の外側に出る変形（図１における壁１４の例において破線で記入）が生じ、したがってそれぞれ隣接する側１４又は１７への力伝達が生じないように配慮している。溝２２、２４及び２５の縁アンダカットによって形成される回転軸線Ｄ２及びＤ３によって、溝２２及び２５における迅速結合要素の締付けの際に側部１４及び１７のこの強力な連結解除は、なお強化される。さらに溝２４における縁アンダカットは、これらの溝内にも取付け要素が係止できるように配慮している。
【００１４】
空間１１、１２及び１３の間の分離壁２６、２７が側壁１６及び１７に当たる位置において、同様に橋絡片２８が配置されている。これらの橋絡片２８は、曲げに対して硬い。これらの橋絡片は、自身と中空プロフィル支持体１０の角範囲における橋絡片１８、１９、２０、２１との間に、タイプ２５の溝を含み、かつ自身と別の曲げに対して硬い橋絡片２８との間に、タイプ２９の溝を含んでいる。溝２５は、その中心軸線３０に対して非対称である。それに対して溝２９は、その中心軸線３１に対して対称である。溝２５においてさらに溝開口も、中心軸線３０に対して非対称である。可動の橋絡片１８、２１の方に向いた開口区間Ｘ１は、硬い橋絡片２８の方に向いた開口区間Ｘ２より小さい。その際、区間Ｘ２は、区間Ｘ１より大きい。溝２９は、２×Ｘ２の幅の溝開口を有する。区間Ｘ２が区間Ｘ１より大きいことにより、硬い橋絡片２８にもかかわらず、結合要素は、問題なく溝２５内に挿入することができる。２×Ｘ２の幅の溝２９内に挿入される結合要素は、隣接する溝２５内に挿入される結合要素のための対向支持体を形成しているだけである。なぜならそれぞれの結合要素は運動範囲を有し、この運動範囲は、変形可能な２つの橋絡片１８、１９、２０、２１又は又は少なくとも１つのこのような橋絡片を、かつそのために他方の側において複数の空間Ｘ２を必然的に必要とするからである。その際、すべての溝タイプ２２、２５及び２９内に、同じ結合要素を挿入することができる。
【００１５】
広げることができる橋絡片１８、１９、２０、２１は、軽く溝内側の方向に傾斜しており、このことは、これらの橋絡片が、迅速結合要素の締付けの後に、外方に設定されるのではなく、側壁１６、１４、１７に対して正確に垂直に整列しているようにする。この処置は、この橋絡片１８、１９、２０、２１の端面に作用する力がプロフィル支持体１０に伝達され、かつ橋絡片１８、１９、２０、２１のそれ以上の曲がりを生じないことに貢献する。
【００１６】
さらにすべての橋絡片１８、１９、２０、２１及び２８、及びすべての角溝２３、２４は、プロフィル側１４、１６からそれぞれ対向するプロフィル側１５、１７に、及びその逆に、直線的な力伝達線３２、３３、３４、３５が生じるように配置されている。それにより中空プロフィル部材１０の変形が生じることなく、橋絡片１８、１９、２０、２１の端面により力を吸収することができ、かつ対向する側に伝達することができる。分離壁２６及び２７の延長部内にある橋絡片２８も、このような直線的な力伝達線３６、３７を可能にする。
【００１７】
図２は、長方形の横断面を有する本発明による中空プロフィル支持体の構成の全体で１２の異なった可能性を示している。図２ｅないし２１が示すように、その際、中空プロフィル支持体のすべての側が、溝を形成する橋絡片を備えている必要はない。
【００１８】
図３は、中空部材が長方形とは異なった横断面を有することができることを図示している。このようにして中空プロフィル支持体によって、壁部分、支持体等の傾斜角の結合も可能である。しかしながら長方形でない又は正方形でないプロフィル支持体も、角範囲及び広げることができる橋絡片に内側及び外側溝を備えているので、これらのプロフィル支持体において、長方形の中空プロフィル支持体におけるものと同じ法則性にしたがって迅速結合要素の締付け、及びすべてのプロフィル側の強力な連結解除が存在する。
【００１９】
今度は図４は、迅速結合要素４３、４４による２つの支持体に対して垂直に配置された第３の中空プロフィル支持体４２と２つの中空プロフィル支持体４０、４１の結合を図示している。とくに図４ｂから明らかなように、中空プロフィル支持体４２は、２つの空間４５及び４６を含む長方形の横断面を有する。外側の溝４７内に、迅速結合要素４３及び４４を係止することができ、これらの迅速結合要素は、Ｕ形に曲げられた板ばね要素４８を有し、これらの板ばね要素の自由端は、ロックフック４９になるように曲げられており、これらのロックフックは、締付け解除された状態において溝４７内に挿入可能であり、かつ続いてキー５１による図５及び６により詳細に明かな回転部材５０の操作によって締付け可能である。
【００２０】
その際、図５は、支持体４０の例において、閉鎖位置において回転部材５０及びキー５１を示している。それに対して支持体４１において、回転部材５０及びキー５１は、開き位置において見ることができる。図５は、差込みキー５１がきわめて深く回転部材５０内に挿入することができ、横断面において長方形のきわめて簡単な形を有するので、キーの簡単な挿入を行なうことができることも示している。回転部材５０の閉鎖運動のためにどのようなストッパも設けられていないので、キー５１の簡単な形によっても助長されて、キーの破損が生じることはない。
【００２１】
図６ａないし６ｅは、回転部材５０の外観を明らかにしている。この回転部材は、回転軸線５２の回りで揺動可能であり、かつその上側に差込みキー５１のための挿入開口５３を有する。その際、図６ａ及び６ｂは、閉鎖位置における回転部材を示し、かつ図６ｃないし６ｅは、開いた位置における回転部材を示している。
【００２２】
図７は、溝ブロック６３による縁アンダカットを有する外側溝６１及び６２を有する中空プロフィル支持体６０における板状の構成部分７０の係止を示している。その際、溝ブロック６３は、溝６１、６２の開口より狭い。これらの溝ブロックは、締付け解除された状態において同様に溝６１及び６２の開口より狭い板ばね要素６４とともに、締付け解除された状態において、溝６１及び６２内に挿入される。続いて溝ブロックは、溝６１、６２のアンダカットの方向にねじ６５の引付けによって引っ張られる。その際、ばね要素６４の広がりが生じ、これらのばね要素は、溝外側において対向片６６に接触する。それによりばね要素６４の外側直径は、溝開口より大きくなり、かつ溝６１及び６２を区画する橋絡片における小さな追加溝６７内に係止する。
【００２３】
溝ブロック６３及びばね要素６４も、あらゆるタイプの溝６１、６２又は２２、２５、２９（図１）内に挿入することができ、かつここに締付けることができる。迅速結合要素４３及び４４と同様に、ばね要素６４を有する溝ブロック６３も、互いに平行に配置することができ、かつ中空プロフィル支持体要素６０の平行な溝６１内に挿入することができる。なぜならその挿入のために溝ブロック６３の旋回は必要ないからである。それにより複数の平行な溝６１を有する中空プロフィル支持体要素６０における大きな面積の構成要素の安定な取付けも可能である。
【図面の簡単な説明】
【図１】  ３つの空間を有する中空プロフィル支持体の横断面図である。
【図２】  長方形の横断面を有する中空プロフィル支持体の種々の横断面形を示す図である。
【図３】  種々の多角形中空プロフィル支持体の横断面図である。
【図４】  ａ）は迅速締付け要素による第３の中空プロフィル支持体と２つの中空プロフィル支持体の結合を示す一部断面で示す図、
ｂ）は図４ａの装置を上から見た一部断面で示す図、
ｃ）は第３の中空プロフィル支持体への湾曲した中空プロフィル支持体の接続を示す図４ｂに相当する図である。
【図５】  キーによる迅速結合要素の締付けの図示を含む図４ａに相当する図である。
【図６】  図５による迅速結合要素の回転部材を詳細に示す図である。
【図７】  溝ブロックによる板状の構成部分と中空プロフィル支持体との結合を示す図である。
【符号の説明】
１０      中空プロフィル支持体
１１      空間
１２      空間
１３      空間
１４      外側
１５      外側
１６      外側
１７      外側
１８      橋絡片
１９      橋絡片
２０      橋絡片
２０．１  橋絡片範囲
２１      橋絡片
２１．１  橋絡片範囲
２２      溝
２３      内側角溝
２４      外側角溝
２５      溝
２６      空間分離壁
２７      空間分離壁
２８      中間橋絡片
２９      溝
３０      中心軸線
４０      中空プロフィル支持体
４１      中空プロフィル支持体
４２      中空プロフィル支持体
４３      迅速結合要素
４４      迅速結合要素
４９      ロックフック
５０      回転部材
５１      キー
６０      中空プロフィル支持体
６１      溝
６３      溝ブロック
６４      ばね要素
６７      追加溝
７０      別の部分
Ｄ１      回転軸線
Ｄ２      回転軸線
Ｄ３      回転軸線
Ｘ１      溝開口
Ｘ２      溝開口
【図１】
0003840641.tif 000002
【図２】
0003840641.tif 000003
【図３】
0003840641.tif 000004
【図４】
0003840641.tif 000005
【図５】
0003840641.tif 000006
【図６】
0003840641.tif 000007
【図７】
0003840641.tif 000008